(57)【要約】  【課題】簡単な構造で小型化が可能で、デュアルケーブルとの接続作業を簡単化できるデュアルケーブル用の２芯コネクタユニットを提供する。  【解決手段】  ２芯コネクタユニット１は、コネクタ４ａ, ４ｂ、クリップ５、補強部材６、ブーツ７を備え、クリップ５は、コネクタ４ａ, ４ｂを所定間隔開けて並べた状態で両コネクタ４ａ, ４ｂを保持するコネクタ装着部と、１対のコネクタ装着部の中間に対応する位置で基端部に突設された突起部２５を有する。突起部２５の両側部分にはベアファイバー４０ａ, ４０ｂが先端側に向かって徐々に離隔されるように導入される導入溝３０ａ, ３０ｂがベアファイバー４０ａ, ４０ｂよりも大径に形成され、これら導入溝３０ａ, ３０ｂにベアファイバー４０ａ, ４０ｂを導入後、デュアルケーブル３の補強繊維４１の先端部を突起部２５に外嵌して、カシメ部材３２により固定溝３１に固定する。【選択図】  図２
2005189288.tif 000002
【特許請求の範囲】
【請求項１】
光ファイバーが組み込まれた２本のベアファイバーと補強繊維とを有するデュアルケーブルの先端部に装着され、前記デュアルケーブルを光学的に接続する為のアダプタに接続される２芯コネクタユニットにおいて、
前記アダプタに挿入される１対のコネクタと、
前記１対のコネクタを所定間隔あけて並べた状態で両コネクタを保持するコネクタ装着部を有する保持体とを備え、
前記保持体の基瑞部には、両コネクタ装着部の中間に対応する位置に、補強繊維の先端部を外嵌して固定するための突起部が突設され、
前記突起部の両側部分には、２本のベアファイバーが夫々導入される２つの導入溝が形成されたことを特徴とする２芯コネクタユニット。
【請求項２】
前記２本のベアファイバーが先端側に向かって徐々に離隔していくように、前記導入溝はベアファイバーよりも大径に形成されたことを特徴とする請求項１に記載の２芯コネクタユニット。
【請求項３】
前記突起部には周方向に延びる固定溝が形成され、前記補強繊維の先端部が固定溝とこの固定溝及び補強繊維の外周側にかしめられたカシメ部材によって挟持固定されることを特徴とする請求項１又は２に記載の２芯コネクタユニット。
【請求項４】
前記保持体は、ＬＣ型コネクタ用のクリップであることを特徴とする請求項１〜３の何れかに記載の２芯コネクタユニット。
【請求項５】
前記保持体は、ＭＵ型又はＳＣ型コネクタ用のツマミ部材であることを特徴とする請求項１〜３の何れかに記載の２芯コネクタユニット。
【発明の詳細な説明】
【技術分野】
【０００１】
本発明は、デュアルケーブルを光学的に接続する為の小型化可能な２芯コネクタユニットに関するものである。
【背景技術】
【０００２】
従来、通信ネットワークの高速化に伴い光通信可能な光ファイバーが用いられているが、この光ファイバーケーブルの中でも２本の光ファイバーケーブルを設ける双方向通信用の２ケーブル型光ファイバーケーブル（一般にZip Cordという) が普及している。このような２ケーブル型光ファイバーケーブルは単芯光ファイバーケーブルを２本並べて合成樹脂性の被覆材で一体化した構成のものである。単芯光ファイバーケーブルは、光ファイバーと合成樹脂製の芯材の外周側を高強度の補強繊維で被い、その外周側を被覆材で被った構造である。
【０００３】
この２ケーブル型光ファイバーケーブルを光学的に接続する２ケーブル型コネクタユニットは、２本の単芯光ファイバーケーブルの先端部に接続された１対のコネクタと、１対のコネクタを平行に並べて装着して保持する保持体と、ブーツ等を有する。ＬＣ型コネクタの場合保持体に相当するものはクリップであり、ＳＣ型やＭＵ型コネクタの場合保持体に相当するものはツマミ部材である。単芯光ファイバーケーブルの先端部にコネクタを接続する場合、ケーブルの補強繊維の端部がコネクタの後端部分にアルミ製のカシメ部材により固定され、単芯光ファイバーケーブルに引っ張り力や曲げ力が作用する場合には、それらの力を補強繊維で支持するようになっている。
【０００４】
特許文献１には、２ケーブル式コネクタユニットと、そのコネクタユニットが接続される整合部品（レセプタクル）とが開示されている。特許文献２には、２ケーブル型コネクタユニットと、そのコネクタユニットが接続されるアダプタまたはレセプタクルとしてのケース本体などが開示されている。
【０００５】
ここで、２ケーブル型光ファイバーケーブルでは、２本のファイバーケーブルが絡まりやすく、全体として太く嵩張り易く、コネクタユニットも大型化し、製作費が高価になることに鑑み、２芯型光ファイバーケーブル（一般に、デュアルケーブルという）が実用化されつつある。前記の２芯型光ファイバーケーブルは、光ファイバーを夫々組み込んだ２本のベアファイバーの外周側を高強度の補強繊維で被い、その外周側を合成樹脂製の被覆材で覆って１本に纏めたものである。
【特許文献１】特開平５−２１５９４３号公報
【特許文献２】特開２０００−３１５８２１号公報
【発明の開示】
【発明が解決しようとする課題】
【０００６】
ところで、デュアルケーブルを光学的に接続する２芯コネクタユニットは、まだ殆ど実用化されておらず、先行技術文献を検出していないので、ここに詳細には記載できない。  しかし、従来の２ケーブル型コネクタユニットにデュアルケーブルを接続することは殆ど困難である。即ち、２芯コネクタユニットにおいては、２本のベアファイバーの先端部を夫々コネクタに連結する関係上、２本のベアファイバーの外周側の補強繊維を２本に振り分けて２つのコネクタの後端部内に固定することはできず、保持体の後端部の１個所に補強繊維を連結する構造が必要となる。
【０００７】
しかも、ベアファイバーを幾分曲げた状態に配設する経路における曲率は制限されているため、補強繊維の先端部よりも先端側へ延ばしたベアファイバーを先端側に向かって徐々に離隔するように配設しなければならない。そのため、補強繊維を保持体に固定する固定部の両側部の外側を経由して２本のベアファイバーを配置する場合には、補強繊維の端部を自動機により固定部にカシメ等により固定する際にベアファイバーが邪魔になるため補強繊維を固定する作業に特殊な構造の自動機が必要になること、２芯コネクタユニットにデュアルケーブルを接続する接続部のデュアルケーブルと直交方向の幅と前後長さが大きくなり、２芯コネクタユニットが大型化するだけでなく、複数の２芯コネクタユニットを収容するコネクタ収容ケースの奥行きサイズが大きくなること、などの問題がある。
【０００８】
本発明の目的は、簡単な構造で小型化が可能なデュアルケーブル用の２芯コネクタユニットを提供すること、デュアルケーブルとの接続作業を簡単化できるデュアルケーブル用の２芯コネクタユニットを提供することである。
【課題を解決するための手段】
【０００９】
請求項１の２芯コネクタユニットは、光ファイバーが組み込まれた２本のベアファイバーと補強繊維とを有するデュアルケーブルの先端部に装着され、前記デュアルケーブルを光学的に接続する為のアダプタに接続される２芯コネクタユニットにおいて、前記アダプタに挿入される１対のコネクタと、前記１対のコネクタを所定間隔あけて並べた状態で両コネクタを保持するコネクタ装着部を有する保持体とを備え、前記保持体の基瑞部には、両コネクタ装着部の中間に対応する位置に、補強繊維の先端部を外嵌して固定するための突起部が突設され、前記突起部の両側部分には、２本のベアファイバーが夫々導入される２つの導入溝が形成されたことを特徴とするものである。
【００１０】
この２芯コネクタユニットを介してデュアルケーブルを他のデュアルケーブル或いは光学装置に光学的に接続する場合、２芯コネクタユニットをアダプタやレセプタクルに挿入して接続する。この２芯コネクタユニットにデュアルケーブルを接続する場合、２本のベアファイバーの先端部分の被覆材を剥き、それら２本のベアファイバーの先端部に夫々コネクタを接続し、これらのコネクタを保持体のコネクタ装着部に装着し、２本のベアファイバーの一部を突起部の両側部分の導入溝に導入してから、補強繊維の先端部を突起部に外嵌して固定する。
【００１１】
請求項２の２芯コネクタユニットは、請求項１の発明において、前記２本のベアファイバーが先端側に向かって徐々に離隔していくように、前記導入溝はベアファイバーよりも大径に形成されたことを特徴とするものである。２本のベアファイバーが先端側に向かって徐々に離隔するように、２つの導入溝に導入できる。
【００１２】
請求項３の２芯コネクタユニットは、請求項１又は２の発明において、前記突起部には周方向に延びる固定溝が形成され、前記補強繊維の先端部が固定溝とこの固定溝及び補強繊維の外周側にかしめられたカシメ部材によって挟持固定されることを特徴とするものである。そのため、デュアルケーブルの補強繊維の先端部を、突起部に強力に固定することができる。
【００１３】
請求項４の２芯コネクタユニットは、請求項１〜３の発明の何れかにおいて、前記保持体は、ＬＣ型コネクタ用のクリップであることを特徴とするものである。そのため、本発明をＬＣ型の２芯コネクタユニットに適用することができる。
【００１４】
請求項５の２芯コネクタユニットは、請求項１〜３の発明の何れかにおいて、前記保持体は、ＭＵ型又はＳＣ型コネクタ用のツマミ部材であることを特徴とするものである。そのため、本発明をＭＵ型又はＳＣ型コネクタに適用することができる。
【発明の効果】
【００１５】
請求項１の発明によれば、保持体の基端部のうち、両コネクタ装着部の中間に対応する位置に形成された突起部の両側部分に形成された２つの導入溝に２本のベアファイバーを導入し、突起部に補強繊維を外嵌して固定することができる。２本のベアファイバーが突起部の外面外へ突出しないように導入溝に収容できるから、補強繊維を突起部に固定する際に、２本のベアファイバーが邪魔になることがなく、前記の固定作業を簡単な構造の自動機により能率的に行うことができる。
【００１６】
しかも、２本のベアファイバーが突起部の外面外へ突出しないように導入溝に収容できるから、また、２本のベアファイバーを徐々に離間させて２つのコネクタに導く経路を、突起部から後方へ突出させることなく形成できるから、２芯コネクタユニットの小型化を図ることができるうえ、複数の２芯コネクタユニットを収容する収容ケースの奥行き寸法を小さくすることができ、収容ケースの小型化を図ることができる。
【００１７】
請求項２の発明によれば、２本のベアファイバーが先端側に向かって徐々に離隔していくように、導入溝がベアファイバーよりも大径に形成されているので、これら導入溝内においてもベアファイバーの延びる方向を徐々に変更できるため、導入溝内においてベアファイバーの方向を変えることができる。
【００１８】
請求項３の発明によれば、突起部に形成された周方向に延びる固定溝と固定部材にかしめられたカシメ部材によって補強繊維の先端部を挟持固定されるので、補強繊維の先端部を突起部に強力に固定することができる。
【００１９】
請求項４の発明によれば本発明をＬＣ型コネクタに適用することができる。
請求項５の発明によれば本発明をＭＵ型又はＳＣ型コネクタに適用することができる。
【発明を実施するための最良の形態】
【００２０】
本願の２芯コネクタユニットは、光ファイバーが組み込まれた２本のベアファイバーと補強繊維とを有するデュアルケーブルの先端部に装着され、前記デュアルケーブルを光学的に接続する為のアダプタに接続される２芯コネクタユニットにおいて、前記アダプタに挿入される１対のコネクタと、前記１対のコネクタを所定間隔あけて並べた状態で両コネクタを保持するコネクタ装着部を有する保持体とを備え、前記保持体の基瑞部には、両コネクタ装着部の中間に対応する位置に、補強繊維の先端部を外嵌して固定するための突起部が突設され、前記突起部の両側部分には、２本のベアファイバーが夫々導入される２本の導入溝が形成されたものである。
【実施例１】
【００２１】
本発明の実施例について図面を参照して説明する。本実施例は、双方向光通信用のデュアルケーブルを光学的に接続する為のＬＣ型２芯コネクタユニットに本発明を適用した一例である。尚、図２に示す矢印ａの方向を左方、矢印ｂの方向を右方として説明する。
【００２２】
デュアルケーブル３の先端部に接続された２芯コネクタユニット１は、アダプタ３の片側の装着穴２ａに着脱可能に装着され、ＬＣ型のアダプタ３の反対側の装着穴２ａには、他のデュアルケーブルに接続された他の２芯コネクタユニット１が装着され、デュアルケーブル３が光学的に接続される。但し、アダプタ２の反対側の装着部には、デュアルケーブル３と異なる２芯光ファイバーケーブルに接続されたコネクタユニットも適用可能である。また、図１のアダプタ２の代わりに、光学装置に付設されたＬＣ型のレセプタクルにも、２芯コネクタユニット１を装着可能である。
【００２３】
図２, 図３に示すように、前記デュアルケーブル３は、光ファイバーが夫々組み込まれた２本のベアファイバー４０ａ, ４０ｂと、これら２本のベアファイバー４０ａ, ４０ｂの外周側を被う高強度合成樹脂製の補強繊維４１と、ベアファイバー４０ａ, ４０ｂと補強繊維４１とを覆う被覆４２とを備えている。このデュアルケーブル３は２本のベアファイバー４０ａ, ４０ｂを一本に纏めて小型化したものである。
【００２４】
図１, 図２に示すように、２芯コネクタユニット１は、左右１対のコネクタ４ａ, ４ｂと、これらのコネクタ４ａ, ４ｂを装着して保持するためのクリップ５と、補強部材６と、ブーツ７などで構成されている。これらは合成樹脂製のものである。
【００２５】
最初に、コネクタ４ａ, ４ｂについて説明する。但し、コネクタ４ａとコネクタ４ｂは同構造であるためコネクタ４ａについてのみ説明する。図２, 図３に示すように、コネクタ４ａには、ベアファイバー４０ａの先端部が結合されたフェルール１０が内嵌して保持され、コネクタ４ａにはフェルール１０を先端側へ付勢する圧縮ばね１１が装着されている。コネクタ４ａ, ４ｂが、アダプタ２の装着穴２ａに挿入装着され、アダプタ２の反対側の装着穴２ａにも図示外のコネクタユニットが装着されると、圧縮ばね１１の付勢力によりフェルールの先端面同士が当接して、光ファイバーが光学的に接続される。
【００２６】
コネクタ４ａの上面側には、先端側から基端側へ斜め上側に延びる上下方向の弾性を有するレバー部１２が一体的に形成されている。レバー部１２の長さ方向の途中部には、アダプタ２の上壁部の２つの係止穴２ｂに係合される左右１対の係合突起１３が形成されている。従って、アダプタ２の装着穴２ａにコネクタ４ａが挿入していくと、レバー部１２が弾性変形し、コネクタ４ａが所定状態に挿入されると、レバー部１２が弾性的に上方へ復帰変形して、１対の係合突起１３がアダプタ２の２つの係止穴２ｂに係合して、２芯コネクタユニット１の装着状態が保持される。コネクタ４ａの後瑞部には、コネクタ４ａをクリップ５に装着した際に、クリップ５の係合部２６が係合する環状の係合溝１４が形成されている。
【００２７】
次に、クリップ５について説明する。図４〜図８に示すように、このクリップ５は、例えばポリエーテルイミド製のものであり、クリップ本体２０と、操作レバー２０ａと、クリップ本体２０に形成された左右１対のコネクタ装着部２１ａ, ２１ｂと、クリップ本体２０に形成された左右１対のファイバー導入溝２２ａ, ２２ｂと、クリップ本体２０の後端部に一体形成された突起部２５と、この突起部２５の左右の両側部に形成された導入溝３０ａ，３０ｂを有する。
【００２８】
前記操作レバー２０ａは、アダプタ２に装着された２芯コネクタユニット１を取り外す際にユーザーが操作するためのものである。図４, 図５に示すように、操作レバー２０ａは上下方向に弾性を有し、操作レバー２０ａはクリップ本体２０の上面の途中部から先端側に向かって斜め上方に延びるように形成されている。クリップ５に１対のコネクタ４０ａ，４０ｂを装着した状態において、操作レバー２０ａの先端部はレバー部１２の基端部の上面に重なり、この操作レバー２０ａの先端部をユーザーが下方へ押動操作すると、１対のレバー部１２も下方へ押動され、アダプタ２の装着穴２ｂに係合している係合突起１３の係合が解除され、２芯コネクタユニット１がアダプタ２から取り外し可能になる。
【００２９】
コネクタ装着部２１ａ, ２１ｂは、クリップ本体２０の先端部に左右に並べて形成されている。コネクタ装着部２１ａ, ２１ｂは、光ファイバー間の間隔が６. ２５ｍｍになるように、両コネクタ４ａ, ４ｂを所定間隔あけて並べた状態で保持するためのものである。  図６に示すように、コネクタ装着部２１ａ, ２１ｂの側面部は、コネクタ４ａ, ４ｂを側方から挿入できるように開口され、コネクタ装着部２１ａ, ２１ｂの内周部には、コネクタ４ａ, ４ｂを固定するために、係合溝１４に係合する半円状の係合部２６が形成されている。
【００３０】
図２, 図７に示すように、ファイバー導入溝２２ａ, ２２ｂはクリップ本体２０の後部の左右側部に形成され、ファイバー導入溝２２ａ, ２２ｂには両コネクタ４ａ, ４ｂに結合された１対のベアファイバー４０ａ, ４０ｂが前端側に向かって徐々に離隔するように収容される。
【００３１】
次に、デュアルケーブル３の補強繊維４１をクリップ５の基端部（後端部）に固定するための突起部２５について説明する。図４，図７, 図８に示すように、突起部２５は、クリップ５の基端部のうちの、両コネクタ装着部２１ａ, ２１ｂの中間に対応する位置に一体的に横向きの短柱状に形成され後方へ突出している。突起部２５の両側部分には、２本のベアファイバー４０ａ, ４０ｂが夫々導入される導入溝３０ａ, ３０ｂが形成されている。この導入溝３０ａ, ３０ｂは、断面がほぼ円形に近い形状であり、ベアファイバー４０ａ, ４０ｂを側方から導入できるように突起部２５の両側に開口している。
【００３２】
ベアファイバー４０ａ, ４０ｂがデュアルケーブル３の被覆４２の先端に対応する位置から先端側に向かって（コネクタ４ａ，４ｂの方へ）徐々に離隔させることができるように、導入溝３０ａ, ３０ｂはベアファイバー４０ａ, ４０ｂよりも大径に形成されている。例えば、各導入溝３０ａ, ３０ｂの左右方向の幅は、各ベアファイバー４０ａ, ４０ｂの直径の１．３〜１．６倍程度の大きさに形成されている。
【００３３】
突起部２５の外周部には周方向に延びる固定溝３１が形成されている。デュアルケーブル３の補強繊維４１の先端部が突起部２５に外嵌され、その補強繊維４１と固定溝３１とに外嵌させた段部を有する円筒状のカシメ部材３２をかしめることにより、補強繊維４１の先端部が突起部２５に固定される。こうして、デュアルケーブル３の補強繊維４１の先端部がカシメ部材３２により突起部２５の固定溝３１に固定されている。
【００３４】
従って、デュアルケーブル３に張力が作用しても、この補強繊維４１とカシメ部材３２によってクリップ本体２０とデュアルケーブル３が連結されているため、２本のベアファイバー４０ａ, ４０ｂに張力が作用することがなく、ベアファイバー４０ａ, ４０ｂの内部に組み込まれた光ファイバーの損傷を防止することができる。
【００３５】
図２, 図９−１, 図９−２に示すように、補強部材６は熱収縮性の合成樹脂でチューブ状に構成され、この補強部材６の先端部はカシメ部材３２の後半部分に外嵌された状態で熱収縮されてカシメ部材３２を保持している。突起部２５の後方部分のデュアルケーブル３と突起部２５に、補強部材６の先端部に装着されたカシメ部材３２の前半部分が外嵌され、前述のようにカシメ部材３２をかしめることにより、補強繊維４１の端部が固定溝３１に固定される。そして、先端部以外の部分の補強部材６を熱収縮させることによって、デュアルケーブル３の外周と補強部材６とを密着状態にし、クリップ２５とデュアルケーブル３との連結部付近と、デュアルケーブル３が補強され、デュアルケーブル３に曲率の大きな曲げが発生しないように補強されている。
【００３６】
図２, 図１０に示すように、ブーツ７は、クリップ本体２０の先端部から補強部材６までの範囲を被うように着脱可能に設けられ、ブーツ７によりクリップ２５の大部分と補強部材６の大部分が被われ補強されている。ブーツ７の先端部には左右１対の延長部３３が形成され、この延長部３３によってコネクタ４ａ, ４ｂの位置を保持している。
【００３７】
次に、２芯コネクタユニット１の作用、効果について説明する。
この２芯コネクタユニット１にデュアルケーブル３を接続する場合には、最初にブーツ７にデュアルケーブル３を通し、その後に先端部にカシメ部材３２が取り付けられた補強部材６にデュアルケーブル３を通す。次に、デュアルケーブル３のベアファイバー４０ａ, ４０ｂが図２に示すように所定長さ露出するように、デュアルケーブル３の先端部分の補強繊維４１と被覆材４２とをはぎ取る。次にベアファイバー３の先端部をコネクタ４ａ, ４ｂに夫々接続する。次にそれらコネクタ４ａ, ４ｂをクリップ５のコネクタ装着部２１ａ, ２１ｂに側方から導入し、コネクタ装着部２１ａ, ２１ｂの係合部２６, ２６をコネクタ４ａ, ４ｂの係合溝１４, １４に係合させる。次に、ベアファイバー４０ａ, ４０ｂが先端側に向かって徐々に離隔するように、ベアファイバー４０ａ, ４０ｂをファイバー導入溝２２ａ, ２２ｂと導入溝３０ａ, ３０ｂに導入して位置決めする。
【００３８】
次に突起部２５に補強繊維４１の先端部が外嵌され、次に予めデュアルケーブル３に装着しておいたカシメ部材３２を突起部２５に外嵌する。補強繊維４１と固定溝３１の外周側からアルミニウム製のリング状のカシメ部材３２を外嵌した状態でカシメ部材３２をかしめて、補強繊維４１を固定溝３１とカシメ部材３２によって挟持固定する。次に補強部材６を熱収縮させてデュアルケーブル３に密着させ、次に予めデュアルケーブル３に装着しておいたブーツ７を前方へ移動してクリップ５に装着する。
【００３９】
この２芯コネクタユニット１においては、クリップ５の基端部のコネクタ装着部２１ａ, ２１ｂの中間に対応する位置に突起部２５を突設し、突起部２５の両側部分に形成された導入溝３０ａ, ３０ｂにベアファイバー４０ａ, ４０ｂを導入し、この突起部２５に補強繊維４１を外嵌して固定するように構成したので、コネクタ装着部２１ａ, ２１ｂの中間に対応する位置においてクリップ５の基端部の突起部２５に補強繊維４１を確実に固定することができる。
【００４０】
２芯コネクタユニット１にデュアルケーブル３を接続する際に、最初に２本のベアファイバー４０ａ，４０ｂの先端部にコネクタ４ａ，４ｂを接続することができる。その後、コネクタ４ａ, ４ｂをコネクタ装着部２１ａ, ２１ｂに装着し、ベアファイバー４０ａ, ４０ｂをファイバー導入溝２２ａ，２２ｂと導入溝３０ａ, ３０ｂに導入して位置決めした状態で、突起部２５に補強繊維４１の先端部を外嵌させ、固定溝３１と補強繊維４１の外周側からカシメ部材３２をかしめて挟持固定することができるので、ベアファイバー４０ａ, ４０ｂの位置決めを簡単化することができるうえ、補強繊維４１を固定する際にベアファイバー４０ａ, ４０ｂが邪魔にならないので、補強繊維の固定作業を簡単な構造の自動機（カシメ装置）により能率的に行うことかできる。
【００４１】
しかも、２本のベアファイバー４０ａ，４０ｂが突起部２５の外面外へ突出しないように導入溝３０ａ, ３０ｂに収容できるから、また、２本のベアファイバー４０ａ，４０ｂを徐々に離間させて２つのコネクタ４ａ，４ｂに導く経路を、突起部２５よりも後方へ突出させることなく形成できるから、２芯コネクタユニット１の小型化を図ることができるうえ、複数のアダプタ２とこれらアダプタ２に接続される複数の２芯コネクタユニット１を収容する収容ケースの奥行き寸法を小さくすることができ、収容ケースの小型化を図ることができる。
【００４２】
突起部２５の外周部には固定溝３１が形成され、この固定溝３１に補強繊維の先端部を嵌めてカシメ部材３２により挟持固定するので、突起部２５に補強繊維４１を確実に強固に固定することができる。導入溝３０ａ, ３０ｂは、ベアファイバー４０ａ, ４０ｂに比べて大径に形成されているため、ベアファイバー４０ａ, ４０ｂを先端側に向かって徐々に離隔させることができる。
【００４３】
以上説明した実施例を部分的に変更した変更例について説明する。
１）図１１に示すように、ＭＵ型又はＳＣ型の２芯コネクタユニット５０に本発明を適用してもよい。この２芯コネクタユニット５０のツマミ部材５０は、ＭＵ型又はＳＣ型のコネクタが装着される左右１対のコネクタ装着部５１ａ, ５１ｂと、ツマミ部５３と、このツマミ部５３の基端の左右方向の中央部に後方向きに突設された突起部５２などを有する。突起部５２は、前記の突起部２５と同様の構造のもので、その両側部に形成された１対の導入溝５２ａ，５２ｂを有する。ＭＵ型又はＳＣ型の２芯コネクタユニット５０においても前記の実施例と同様の作用、効果が得られる。
【００４４】
２）前記の実施例においてはリング状のカシメ部材３２によって補強繊維４１を挟持固定したが、リング状のカシメ部材の代わりに、Ｃ形のカシメ部材も適用可能である。
【００４５】
３）前記の導入溝３０ａ, ３０ｂ、５２ａ，５２ｂは、断面がほぼ円形に近い形状であって、前後方向に一定の断面の溝であった。しかし、図２に示すように、ベアファイバー４０ａ，４０ｂを配置できればよいので、導入溝３０ａ, ３０ｂ、５２ａ，５２ｂの上下幅はベアファイバー４０ａ，４０ｂの直径とほぼ等しく、また、前方ほど左右方向の溝幅が浅くなるような導入溝に形成してもよい。
４）突起部２５，５２の形状はほぼ円形断面に限らず、矩形断面、楕円断面など種々の形状に形成してもよい。また、前記のクリップやツマミ部材は一例を示すものに過ぎず、種々の形状や構造のクリップやツマミ部材にも本発明を適用可能である。
【００４６】
尚、この２芯コネクタユニット１，５０は、アダプタ２に接続可能であるだけでなく、光学装置に設けられたレセプタクルにも接続可能なものである。本発明は以上説明した実施例に限定されるものではなく、当業者であれば、本発明の趣旨を逸脱しない範囲で前記実施例に種々の変更を付加して実施することができ、本発明はそれらの変更例をも包含するものである。
【図面の簡単な説明】
【００４７】
【図１】本発明の実施例に係る２芯コネクタユニットとアダプタの斜視図である。
【図２】２芯コネクタユニットの横断面図である。
【図３】デュアルケーブルに接続したコネクタの平面図である。
【図４】クリップの斜視図である。
【図５】クリップの側面図である。
【図６】クリップの正面図である。
【図７】クリップの背面図である。
【図８】クリップの平面図である。
【図９−１】カシメ部材と補強部材の平面図である。
【図９−２】カシメ部材が装着された補強部材の平面図である。
【図１０】ブーツの平面図である。
【図１１】変更例のＭＵ型又はＳＣ型コネクタユニットのツマミ部材の斜視図である。
【符号の説明】
【００４８】
１              ２芯コネクタユニット
２              アダプタ
３              デュアルケーブル
４ａ, ４ｂ      コネクタ
５              クリップ
２１ａ, ２１ｂ  コネクタ装着部
２５            突起部
３０ａ, ３０ｂ  導入溝
３１            固定溝
３２            カシメ部材
４０ａ, ４０ｂ  ベアファイバー
４１            補強繊維
５０            ツマミ部材
５１ａ, ５１ｂ  コネクタ装着部
５２            突起部
５２ａ，５２ｂ  導入溝
【図１】
2005189288.tif 000003
【図２】
2005189288.tif 000004
【図３】
2005189288.tif 000005
【図４】
2005189288.tif 000006
【図５】
2005189288.tif 000007
【図６】
2005189288.tif 000008
【図７】
2005189288.tif 000009
【図８】
2005189288.tif 000010
【図９−１】
2005189288.tif 000011
【図９−２】
2005189288.tif 000012
【図１０】
2005189288.tif 000013
【図１１】
2005189288.tif 000014